(57)【特許請求の範囲】
【請求項１】
モータと、先端工具を着脱可能に保持する工具保持部と、前記モータの回転力を往復運動力に変換し前記先端工具に伝達する打撃伝達機構部とを有し、前記モータの軸方向が前記工具保持部に保持された前記先端工具の軸方向にほぼ直交するよう配置され、更に前記モータを覆うモータハウジングと、該モータハウジングの下端に取付けられるテールカバーを備え、前記モータハウジングが前記テールカバーよりも硬材製の部材により形成されている打撃工具であって、前記テールカバーを下方に位置させた状態で、前記工具保持部と前記テールカバーとの間に位置するリブを前記モータハウジングに設け、前記工具保持部の先端下端部と前記リブ下端との接線よりも前記テールカバーが下方に突出しない構成としたことを特徴とする打撃工具。
【請求項２】
前記モータハウジング下端に、前記テールカバーに設けられた穴部を介して前記テールカバーより下方に突出する下方突起部を設けたことを特徴とする請求項１記載の打撃工具。
【請求項３】
前記下方突起部及び前記穴部は複数個設けられていることを特徴とする請求項２記載の打撃工具。
【請求項４】
前記リブ下端と前記下方突起部下端との接線よりも前記テールカバーが下方に突出しない構成としたことを特徴とする請求項２あるいは請求項３記載の打撃工具。
【請求項５】
モータと、先端工具を着脱可能に保持する工具保持部と、前記モータの回転力を往復運動力に変換し前記先端工具に伝達する打撃伝達機構部とを有し、前記モータの軸方向が前記工具保持部に保持された前記先端工具の軸方向にほぼ直交するよう配置され、更に前記モータを覆うモータハウジングと、該モータハウジングの下端に取付けられるテールカバーを備え、前記モータハウジングが前記テールカバーよりも硬材製の部材により形成されている打撃工具であって、前記テールカバーを下方に位置させた状態で、前記工具保持部と前記テールカバーとの間に位置するリブと、前記テールカバーに設けられた穴部を介して前記テールカバーより下方に突出する下方突起部とを前記モータハウジングに設け、前記リブ下端と前記下方突起部下端との接線よりも前記テールカバーが下方に突出しない構成としたことを特徴とする打撃工具。
【発明の詳細な説明】
【０００１】
【発明の属する技術分野】
本発明は、モータの軸方向が工具保持部に保持された先端工具の軸方向にほぼ直交するよう配置され、モータハウジングがアルミ等の硬材により形成されると共にモータハウジング下端にテールカバーを取付ける電気ハンマやハンマドリル等の打撃工具に関するものである。
【０００２】
【従来の技術】
従来の電気ハンマやハンマドリルにおいて、モータの軸方向が工具保持部に保持された先端工具の軸方向にほぼ直交するようモータが配置され、モータハウジングがアルミ等の硬材により形成されると共にモータハウジング下端にテールカバーを取付けた構成をしたものでは、通常テールカバーは軽量化及び低コスト化の目的等から樹脂製の部材により形成されている。
【０００３】
なお、モータハウジングは内部に収納されるモータの軸部を支持する機能を有すると共に、モータの整流子と接触するブラシを保持する機能を有する構成をしており、モータ等の組立性の向上を図る目的から下端側に開口部を有する構成をしており、この開口部を着脱可能なテールカバーによって覆う構成をしている。
【０００４】
なお、従来の電気ハンマやハンマドリルにはモータハウジングがモールド型成形品のものも存在するが、この構成ではモータハウジングの強度が弱く作業時にモータハウジングに傷が付くことやモータハウジングが破損してしまう場合があり、モータハウジングをアルミ等の硬材成形品とすることによりモータハウジングの強度向上を図っている。
【０００５】
【発明が解決しようとする課題】
上記したような従来の打撃工具では、モータハウジング底面に取付けられるテールカバーが樹脂製部材であるため、テールカバーが作業時に被削材あるいは地面等と接触してひどく傷ついたり、磨耗してしまうことが多く、場合によっては破損してしまう場合があった。
【０００６】
特にテールカバーの先端工具側下端部が被削材あるいは地面等に接触する割合が高く、傷ついたり磨耗してしまう。
【０００７】
上記したように樹脂製部材からなるテールカバーが被削材あるいは地面等に接触した状態でハツリ・破砕作業が行われると、先端工具の打撃運動の反動によって打撃工具本体が先端工具の軸方向に振動するため、テールカバーの接触部が傷つく、磨耗するあるいは破損し易いものであった。
【０００８】
また、打撃工具本体を地面等に落下させてしまった場合、テールカバーが地面等に衝突することになり、これによって樹脂製のテールカバーは破損してしまう場合があった。
【０００９】
上記したような不具合を解消するため、テールカバーを強度や対摩耗性が低いモールド型成形品の替わりに金属プレス加工品とすることが考えられるが、この場合には軽量化及び低コスト化を図ることができないと共に、テールカバーを複雑な形状に形成することが困難であり、更にモータハウジングの形状等に制約を受けてしまう、すなわち工具本体のデザインの自由度がなくなるという問題があった。
【００１０】
本発明の目的は、上記欠点を解消し、樹脂製のテールカバーを採用し、低コスト化及び軽量化を図ることができると共に、テールカバーが傷つき、磨耗あるいは破損等を抑制する打撃工具を提供することである。
【００１１】
【課題を解決するための手段】
上記目的は、テールカバーを下方に位置させた状態で、工具保持部とテールカバーとの間に位置するリブをモータハウジングに設け、工具保持部の先端下端部とリブ下端との接線よりもテールカバーが下方に突出しない構成とすることにより達成される。
【００１２】
また、テールカバーを下方に位置させた状態で、工具保持部とテールカバーとの間に位置するリブと、テールカバーに設けられた穴部を介してテールカバーより下方に突出する下方突起部とをモータハウジングに設け、リブ下端と下方突起部下端との接線よりもテールカバーが下方に突出しない構成とすることにより達成される。
【００１４】
【発明の実施の形態】
以下本発明打撃工具の一実施形態を図１〜図７を用いて説明する。図１は先端工具１を取り付けた状態を示す打撃工具の正面図、図２は図１の要部拡大図、図３は図２のＡ方向矢視拡大図、図４は図２のｂ方向矢視拡大図、図５は図４の要部断面図、図６は図５のＣ−Ｃ線断面図、図７は本発明打撃工具を構成するモータハウジング及びテールカバーの一実施形態を示す展開図である。なお、図１に示す打撃工具は着脱可能なサブハンドル１４を取り付けた状態を示している。
【００１５】
図に示すように、打撃工具は先端工具１を軸方向に移動可能に保持する工具保持部２と、モータ８を内蔵するモータハウジング３と、モータ８の駆動を制御するスイッチ６を有するハンドル５とを有する構成をし、図示しない内部構造によってモータ８が回転駆動することにより、工具保持部２に保持された先端工具１を軸方向に往復動させ、先端工具１によって被削材を打撃する構造をしている。
【００１６】
工具保持部２に取付けられた先端工具１の軸方向とモータ８の軸方向とはほぼ直交するように配置されており、ハンドル５とモータ８の軸方向とはほぼ平行に延びるよう配置されている。
【００１７】
モータハウジング３はアルミ製の部材により形成されており、内部に樹脂製モータハウジング９を介してモータ８を収納した構成をしている。モータハウジング３の下端部にはモータ８の軸部８ａを回転可能に支持するベアリング１０を受けるベアリング受け部３ｄが設けられており、モータハウジング３の下端部はこのベアリング受け部３ｄ以外の箇所が開放した形状をしている。このようにモータハウジング３の下端部を所定量開放した形状とすることによって、モータハウジング３内におけるモータ８の組立て作業を容易にすることができるようにしていると共に、モータハウジング３内に収納されている冷却ファン１５がモータ８の回転時に回転した際に冷却風がモータハウジング３下端部より内部に流入するようにしている。
【００１８】
モータハウジング３下端にはモータハウジング３下端部を覆う形状をした樹脂製のテールカバー４が２本のボルト７を介して取付けられている。テールカバー４には複数個の風穴４ａが設けられており、この風穴４ａを介して冷却ファン１５の回転時に発生する冷却風がモータハウジング３下端の開放部を介してモータハウジング３内部に流入する。
【００１９】
モータ８が回転すると、図示しない打撃伝達機構部が動作し、工具保持部２内に所定量軸方向移動可能に保持された先端工具１の端部を繰り返し打撃し、先端工具１を軸方向に往復動させる。
【００２０】
打撃工具に取付けられる先端工具１には、軸方向寸法が異なる複数の種類が存在し、一般的に多く用いられるものは約２８ｃｍ、約４０ｃｍの軸方向寸法を有するものであり、図１に示す先端工具１は軸方向寸法が約２８ｃｍのものである。
【００２１】
図１に示すように、本発明打撃工具では、モータハウジング３の工具保持部２側の下端部分にはモータハウジング３と一体に設けられた斜め下方に突出するリブ３ａが設けられている。このリブ３ａは工具保持部２とテールカバー４との間に位置しており、テールカバー４の上側部分を覆う形状をしている。また、図１に示すように工具保持部２下端部とテールカバー４下端部とを結ぶ接線よりもリブ３ａは下方に突出する形状をしており、これによって被削材や地面等の付近での作業を行った際等にモータハウジング３下端部が被削材や地面等に接触したとしてもテールカバー４が接触することを抑制することができるようになる。上記作業時にはモータハウジング３のリブ３ａが被削材や地面等に接触することになるが、リブ３ａはモータハウジング３に一体に形成されたアルミ等の硬材であるために製品寿命を低下させることがない。
【００２２】
なお、本実施形態では、一般的に多く用いられる約２８ｃｍ及び約４０ｃｍの軸方向寸法を有する先端工具１を取付けた状態で、先端工具１先端部とテールカバー４の工具保持部２側下端部とを結ぶ接点よりも下方にリブ３ａが突出するよう形成しており、作業時にテールカバー４が被削材や地面等に接触することを抑制している。
【００２３】
また、上記したリブ３ａは図４に示すように先端工具１側から見た形状がモータ４軸方向と直交するよう延びる直線部３ａ’を有する形状をしており、これによって打撃工具を地面や床等に載置した際に、先端工具１を取り付けていない状態では工具保持部２下端とリブ３ａの直線部３ａ’とによって地面や床と接触し、先端工具１を取り付けた状態では先端工具１先端部とリブ３ａの直線部３ａ’とによって地面や床と接触し、打撃工具が安定して載置されることとなる。この状態では、ハンドル５が地面や床等の面に対して直立した状態で打撃工具が載置されているため、次の作業時にハンドル５を把持し易く、すなわち打撃工具本体を把持し易く作業性の向上を図ることができる。なお、直線部３ａ’の変わりに突起状のリブ３ａを２個以上設けた構成とし、工具保持部２下端あるいは先端工具１先端の１点を含めた３点支持により打撃工具が地面や床等に載置される構成としても良い。
【００２４】
図４に示すようにリブ３ａはモータハウジング３より図示左右方向に突出するテールカバー４の上方に位置する左右突起部３ａ”を有する形状をしているが、この左右突起部３ａ”は図示左右方向においてテールカバー４よりも突出する形状をしており、この方向においてもテールカバー４が外部に接触することを抑制するようにしている。
【００２５】
また、図７に示すように左右突起部３ａ”は、モータハウジング３に設けられたブラシ保持穴３ｅの上方側を覆う形状をしている。図５に示すようにこのブラシ保持穴３ｅ内には、スプリング１２によって常時モータ８の軸部８ａ側に付勢されたブラシ１１及びブラシ１１が外部に突出しないようにブラシ１１を保持するブラシキャップ１３が取付けられるが、テールカバー４には内壁部においてこのブラシキャップ１３を押え、確実にブラシ１１が外部に突出することを防止するブラシ押え部４ｅが設けられている。また、このテールカバー４のブラシ押え部４ｅと係合する係合部がリブ３ａの左右突起部３ａ”に設けられており、テールカバー４の位置規制が確実に行われている。
【００２６】
図７に示すようにモータハウジング３の下端部のベアリング１０近傍のベアリング受け部３ｄには下方に突出する複数（４個）の下方突起部３ｂが設けられており、この下方突起部３ｂは図１〜図７、特に図６に示すようにテールカバー４を越えてテールカバー４下方に突出する形状をしている。テールカバー４には図７に示すように下方突起部３ｂに対応する複数（４個）の穴部４ｂが設けられており、この穴部４ｂを介して下方突起部３ｂはテールカバー４よりも下方に突出する。
【００２７】
このような構成とすることによって、被削材や地面等の付近での作業を行った際等にモータハウジング３下端部の下方突起部３ｂが被削材や地面等に接触したとしてもテールカバー４が接触することを抑制することができるようになる。また、図１に示す状態で打撃工具を地面や床等に落下させた際に、地面や床等に硬材である下方突起部３ｂが衝突することになるため、樹脂製のテールカバー４が地面や床等に衝突して強い衝撃を受け破損してしまうことを抑制することができるようになる。なお、本実施形態では、下方突起部３ｂをモータハウジング３に一体に形成した構成としたが、テールカバー４よりも下方に突出しテールカバー４よりも硬材製の部材により形成されたものであれば良く、テールカバー４とモータハウジング３との間に配置されるモータハウジング３とは別の部材であっても良い。
【００２８】
なお、リブ３ａの下端部と下方突起部３ｂの下端部との接線よりもテールカバー４が突出しないように、リブ３ａ及び下方突起部３ｂの突出量は設計されている。
【００２９】
上記したように本発明によれば、テールカバー４を保護する、すなわちテールカバー４が地面や床等に接触することを抑制するテールカバー４よりも突出した突起部３ａ、３ｂを設けた構成としたので、樹脂製のテールカバー４が傷つくことや、磨耗することあるいは破損してしまうことを抑制することができ、製品の寿命向上を図ることができるようになる。
【００３０】
また、テールカバー４の寿命向上を図ることができるため、テールカバー４を樹脂製部材により形成することが可能となり、低コスト化及び軽量化を図ることができると共に、テールカバー４を比較的複雑な形状に形成することが可能となり、工具本体のデザインの自由度を向上させることができる。
【００３１】
【発明の効果】
本発明によれば、樹脂製のテールカバーを採用し、低コスト化及び軽量化を図ることができると共に、テールカバーが傷つき、磨耗あるいは破損等を抑制する打撃工具を提供することができるようになる。
【図面の簡単な説明】
【図１】本発明打撃工具の一実施形態を示す正面図。
【図２】図１の要部拡大図。
【図３】図２のＡ方向矢視図。
【図４】図２のＢ方向矢視図。
【図５】図４の要部断面図。
【図６】図５のＣ−Ｃ線断面図。
【図７】本発明打撃工具を構成するモータハウジング及びテールカバーの一実施形態を示す展開図。
【符号の説明】
１はモータ、２は工具保持部、３はモータハウジング、３ａはリブ、３ｂは下方突起部、４はテールカバー、５はハンドル、６はスイッチ、７はボルト、８はモータ、９は樹脂製モータハウジング、１０はベアリング、１１はブラシ、１２はスプリング、１３はブラシキャップ、１４サブハンドル、冷却ファンである。
【図１】
0003870798.tif 000002
【図２】
0003870798.tif 000003
【図３】
0003870798.tif 000004
【図４】
0003870798.tif 000005
【図５】
0003870798.tif 000006
【図６】
0003870798.tif 000007
【図７】
0003870798.tif 000008